【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
圧電体、及び前記圧電体を挟む位置に形成された二つの電極を有する圧電素子と、
前記圧電素子に分極用電圧を印加して分極処理を実施する分極処理部と、
前記分極処理部の分極タイミングを制御する制御部と、を備え、
前記制御部は、
前記圧電体の分極量に関係した特性値を取得する特性値取得部と、
前記特性値に基づいて、前記圧電体の分極特性が安定状態であるか、不安定状態であるかを判定する判定部と、
前記判定部の判定結果に基づいて、前記圧電体の分極特性が前記不安定状態であると判定された場合に、前記分極処理部により前記圧電素子に分極用電圧を印加して前記圧電体を分極処理させる分極制御部と、
を備えることを特徴とする圧電センサー装置。
【請求項２】
請求項１に記載の圧電センサー装置において、
前記特性値取得部は、前記分極処理部による分極処理の実施タイミングからの経過時間を前記特性値として取得する計時部を備え、
前記判定部は、
前記経過時間が、前記圧電体の分極特性が安定する時間である第一時間から第二時間までの間である場合、前記安定状態と判定し、
前記経過時間が前記第二時間より大きい場合、前記不安定状態と判定する
ことを特徴とする圧電センサー装置。
【請求項３】
請求項２に記載の圧電センサー装置において、
前記圧電素子から出力された検出信号を検出する検出処理、および前記圧電素子へ駆動信号を入力して駆動させる駆動処理の少なくともいずれかの信号処理を実施する信号処理部を備え、
前記制御部は、
前記経過時間が前記第一時間より小さい場合、前記分極処理部による前記圧電体の分極処理及び前記信号処理部による前記信号処理を停止する
ことを特徴とする圧電センサー装置。
【請求項４】
請求項１から請求項３のいずれかに記載の圧電センサー装置において、
前記圧電素子は、超音波を受信することで、受信した超音波に応じた検出信号を出力し、
当該圧電センサー装置は、
前記圧電素子から出力された検出信号を検出する信号処理部と、
前記圧電素子と同一構成物により構成され、かつ同一の形状及び寸法に形成され、超音波を受信することで、受信した超音波に応じた基準信号を出力する基準圧電素子と、
前記基準圧電素子から出力された前記基準信号を検出する基準信号検出部と、を備え、
前記特性値取得部は、前記信号処理部により検出される前記検出信号と、前記基準信号検出部により検出される前記基準信号との差分値を前記特性値として算出する差分値算出部を備え、
前記判定部は、前記差分値算出部により算出される前記差分値が、所定の閾値以内である場合に前記安定状態と判定し、前記差分値が前記閾値より大きくなる場合に前記不安定状態と判定する
ことを特徴とする圧電センサー装置。
【請求項５】
請求項４に記載の圧電センサー装置において、
前記圧電素子から超音波の送信及び受信の少なくともいずれか一方の信号処理を実施可能な信号処理モードと、前記圧電素子を分極処理する校正モードとを切り替えるモード切替部を備え、
前記分極制御部は、前記信号処理モードにおいて、前記分極処理部により前記基準圧電素子を分極処理させる
ことを特徴とする圧電センサー装置。
【請求項６】
圧電体、及び前記圧電体を挟む位置に形成された二つの電極を有する圧電素子と、
前記圧電素子に分極用電圧を印加して分極処理を実施する分極処理部と、
前記分極処理部の分極タイミングを制御する制御部と、
前記圧電素子から出力された検出信号を検出する検出処理、および前記圧電素子へ駆動信号を入力して駆動させる駆動処理の少なくともいずれかの信号処理を実施する信号処理部と、を備え、
前記制御部は、
前記圧電体の分極量に関係した特性値を取得する特性値取得部と、
前記特性値に基づいて、前記圧電体の分極特性が安定状態であるか、不安定状態であるかを判定する判定部と、
前記判定部の判定結果に基づいて、前記圧電体の分極特性が前記不安定状態であると判定された場合に、前記分極処理部により前記圧電素子に分極用電圧を印加して前記圧電体を分極処理させる分極制御部と、
を備え、
前記圧電素子は、超音波の受信および送信が可能に構成され、
前記信号処理部は、前記検出処理として超音波による受信信号の検出処理、および前記駆動処理として超音波を送信する駆動処理の少なくともいずれかの信号処理を行う
ことを特徴とする超音波センサー。
【請求項７】
圧電体、及び前記圧電体を挟む位置に形成された二つの電極を有する圧電素子と、前記圧電素子に分極用電圧を印加して分極処理を実施する分極処理部と、を備えた圧電センサー装置における前記圧電体の分極方法であって、
前記圧電体の分極量に関係した特性値を取得する特性値取得工程と、
前記特性値に基づいて、前記圧電体の分極特性が安定状態であるか、不安定状態であるかを判定する判定工程と、
前記判定工程の判定結果に基づいて、前記圧電体の分極特性が前記不安定状態であると判定された場合に、前記分極処理部により前記圧電体を分極処理させる分極制御工程と、
を備えることを特徴とする圧電センサー装置における圧電体の分極方法。
【手続補正２】
【補正対象書類名】明細書
【補正対象項目名】発明の名称
【補正方法】変更
【補正の内容】
【発明の名称】圧電センサー装置、超音波センサー、および圧電センサー装置における圧電体の分極方法
【手続補正３】
【補正対象書類名】明細書
【補正対象項目名】０００１
【補正方法】変更
【補正の内容】
【０００１】
本発明は、圧電センサー装置、超音波センサー、および圧電センサー装置における圧電体の分極方法に関する。
【手続補正４】
【補正対象書類名】明細書
【補正対象項目名】０００５
【補正方法】変更
【補正の内容】
【０００５】
本発明は、圧電体の経年劣化を抑制できる圧電センサー装置、超音波センサー、および圧電センサー装置における圧電体の分極方法を提供することを目的とする。
【手続補正５】
【補正対象書類名】明細書
【補正対象項目名】０００６
【補正方法】変更
【補正の内容】
【０００６】
本発明の圧電センサー装置は、圧電体、及び前記圧電体を挟む位置に形成された二つの電極を有する圧電素子と、前記圧電素子に分極用電圧を印加して分極処理を実施する分極処理部と、前記分極処理部の分極タイミングを制御する制御部と、を備え、前記制御部は、前記圧電体の分極量に関係した特性値を取得する特性値取得部と、前記特性値に基づいて、前記圧電体の分極特性が安定状態であるか、不安定状態であるかを判定する判定部と、前記判定部の判定結果に基づいて、前記圧電体の分極特性が前記不安定状態であると判定された場合に、前記分極処理部により前記圧電素子に分極用電圧を印加して前記圧電体を分極処理させる分極制御部と、を備えることを特徴とする。
また、本発明の超音波センサーは、圧電体、及び前記圧電体を挟む位置に形成された二つの電極を有する圧電素子と、前記圧電素子に分極用電圧を印加して分極処理を実施する分極処理部と、前記分極処理部の分極タイミングを制御する制御部と、前記圧電素子から出力された検出信号を検出する検出処理、および前記圧電素子へ駆動信号を入力して駆動させる駆動処理の少なくともいずれかの信号処理を実施する信号処理部と、を備え、前記制御部は、前記圧電体の分極量に関係した特性値を取得する特性値取得部と、前記特性値に基づいて、前記圧電体の分極特性が安定状態であるか、不安定状態であるかを判定する判定部と、前記判定部の判定結果に基づいて、前記圧電体の分極特性が前記不安定状態であると判定された場合に、前記分極処理部により前記圧電素子に分極用電圧を印加して前記圧電体を分極処理させる分極制御部と、を備え、前記圧電素子は、超音波の受信および送信が可能に構成され、前記信号処理部は、前記検出処理として超音波による受信信号の検出処理、および前記駆動処理として超音波を送信する駆動処理の少なくともいずれかの信号処理を行うことを特徴とする。
【手続補正６】
【補正対象書類名】明細書
【補正対象項目名】００１３
【補正方法】変更
【補正の内容】
【００１３】
本発明の圧電センサー装置における圧電体の分極方法は、圧電体、及び前記圧電体を挟む位置に形成された二つの電極を有する圧電素子と、前記圧電素子に分極用電圧を印加して分極処理を実施する分極処理部と、を備えた圧電センサー装置における前記圧電体の分極方法であって、前記圧電体の分極量に関係した特性値を取得する特性値取得工程と、前記特性値に基づいて、前記圧電体の分極特性が安定状態であるか、不安定状態であるかを判定する判定工程と、前記判定工程の判定結果に基づいて、前記圧電体の分極特性が前記不安定状態であると判定された場合に、前記分極処理部により前記圧電体を分極処理させる分極制御工程と、を備えることを特徴とする。